(57)【要約】【課題】  糞尿の臭気を効率的に抑制できる排便処理剤を提供する。【解決手段】  メチル化β−シクロデキストリンとヨウ素との包接化物を含有する排便処理剤である。該排便処理剤は消臭効果に優れ、これを便器用洗浄液として使用すれば、便槽内で発生する臭気も効率的に抑制することができる。【選択図】なし【特許請求の範囲】
【請求項１】
メチル化β−シクロデキストリンとヨウ素との包接化物を含有する排便処理剤。
【請求項２】
有効ヨウ素量が０．００５〜６質量％である、請求項１記載の排便処理剤。
【請求項３】
請求項１または２記載の排便処理剤を含有する、便器用洗浄液。
【請求項４】
請求項１または２記載の排便処理剤が、溶液状で予め便槽内に投与されることを特徴とする、便槽の消臭方法。
【請求項５】
請求項１または２記載の排便処理剤、または請求項３記載の便器用洗浄液を、便槽内に投与することを特徴とする、便槽の消臭方法。
【発明の詳細な説明】
【技術分野】
【０００１】
本発明は、便槽で発生する臭気の除去効果に優れる排便処理剤に関し、より詳細には、ヨウ素−メチル化β−シクロデキストリン包接化物を含有する、簡便かつ長期に亘り脱臭効果に優れる排便処理剤、および該排便処理剤を含む便槽用洗浄剤に関する。
【背景技術】
【０００２】
各家庭および公共施設に便槽は必ず存在するが、排泄物の処理工程でその臭気が問題となる。
【０００３】
例えば、公共輸送手段である鉄道には、乗客用のサービスとしてトイレが配設されるが、移動車両という環境では使用しうる洗浄水量に限界があり、また、閉鎖環境にあるため特に臭気が問題となる。一般には薬剤を溶解した洗浄水を使用し、この洗浄水を便槽内に循環させて再度洗浄水として使用し、薬剤入り洗浄水の臭気が一定値をこえると洗浄水の交換を行っている。
【０００４】
また、夏場等には洗浄水の臭気が一層強く、使用の際の不快感が問題となるため、洗浄水以外に脱臭機能を付加したものもある。例えば、鉄道車両のトイレ室の内面に金属イオンを塗設し、その触媒作用を利用してトイレ内の空気の脱臭を図り、および循環して繰り返し使用される洗浄液が汚物と共に便器から流れ込む濾過器の内壁面にも金属イオンを塗設し、その触媒作用を利用して汚物が混合された洗浄液の脱臭を図る方法がある（特許文献１、特許文献２）。該特許文献によれば、長期間に亙って洗浄水を効率的に浄化させることができ、洗浄水の交換をたびたび行う必要がないばかりか、長期間に亙り脱臭効果が持続してメンテナンスの必要が殆どない、という。
【０００５】
また、排泄槽に溜められた糞尿と洗浄水とをまとめて浄化して水を回収し、この水を便器洗浄用の浄化水に利用する従来のトイレ装置において、特定の脱臭工程を設けた技術もある。例えば、便器から集めた糞尿等を加熱蒸発して悪臭を含んだ蒸気を発生させ、この蒸気から悪臭を除去し、蒸気から回収した水を再生浄化して洗浄水と循環させて再使用する加熱蒸発式トイレ装置であって、便器から集めた糞尿等を悪臭除去作用のある有用微生物の存在下に所定の大きさに破砕し、粉砕した糞尿を蒸発釜に導入し、蒸発釜から排出される蒸気及び悪臭を脱臭管および瀘過槽に導入する加熱蒸発式トイレ装置がある（特許文献３）。なお、該瀘過槽には、瀘過槽内の水を前記便器に戻すための戻し管が連接されている。
【０００６】
一方、より簡易な方法として、例えば電車などの便器において、殺菌成分及び発泡成分を含む粉末を水溶性フィルムに包装した消臭剤を、便器側の圧力よりも汚物タンク側の圧力を低くすることにより便器側から汚物を汚物タンクに吸引する吸引式トイレの水が貯留されている汚物タンクに投入する方法もある（特許文献４）。発泡成分が発泡してその撹拌作用により殺菌成分を素早く溶解させることができ、素早く殺菌および消臭を行うことができる。前記殺菌成分の具体例としては、飽和脂肪族ニトロアルコールのブロム誘導体であり、例えば２−ブロモ−２−ニトロエタノール、２−ブロモ−２−ニトロプロパン−１，３−ジオール、２−ブロモ−２−ニトロプロパノール、１−ブロモ−１−ニトロプロパノール、１，４−ジブロモ−１，４−ジニトロブタンジオール−２，３、１−ブロモ−１−ニトロ−２−メチルプロパノール−２および塩化セチルピリジニウムがあり、また前記発泡成分としては、有機酸と炭酸塩との混合物からなり、有機酸としてはリンゴ酸、スルファミン酸、コハク酸、クエン酸、マレイン酸など、炭酸塩としては、炭酸水素ナトリウム、炭酸ナトリウム、炭酸カリウム、炭酸カルシウムなどが開示されている。
【０００７】
また、糞尿を取扱いが容易になる程度に固化し、長時間放置するようなときにも悪臭ガスの発生を抑制することができる排便処理剤として、木粉、殺菌消臭剤及び固化剤を含む排便処理剤において、前記木粉のうち８０％以上が粒径０．１５ｍｍ〜０．８０ｍｍの排便処理剤もある（特許文献５）。大地震や大火災などの大災害が発生した場合に使用される簡易便所などにおいて発生する臭気を処理するための処理剤であり、該公報によれば、これによって、糞尿を廃棄時の運搬、焼却等の取扱いが容易な程度に固化することができ、しかも廃棄前に数週間保管・放置しておいても悪臭ガスの発生を抑制することができる、という。殺菌消臭剤として２−フェノキシエタノール、オルトベンジルパラクロロフェノール、塩化ベンザルコニウム、安息香酸及びその塩類、デヒドロ酢酸及びその塩類、ソルビン酸、ソルビン酸カリウム、プロピオン酸カルシウム、パラオキシ安息香酸エチル、パラオキシ安息香酸プロピル、ラウリルトリメチルアンモニウム、２，４，５−トリクロルフェノキサイド、アルキルトリアミノエチルグリシン、５−ニトロ−２−フリルアクリルアミド、ポリヘキサメチレンビグアニジン塩酸塩、２−ブロモ−２−ニトロプロパン−１，３−ジオールが挙げられる。これらのうち、２−ブロモ−２−ニトロプロパン−１，３−ジオールなどが開示されている。
【特許文献１】特開平６−３２１０９７号公報
【特許文献２】特開平６−３２１０９８号公報
【特許文献３】特開２００１−３３６１９５号公報
【特許文献４】特開２００４−１８８２３５号公報
【特許文献５】特開平１０−１１８１７３号公報
【発明の開示】
【発明が解決しようとする課題】
【０００８】
従前から、糞便の処理においてその臭気を除去する技術は種々存在するが、複雑な装置を必要としたり、脱臭効果が短時間で消失したり、多量の薬剤を必要とするため、その後の処理が複雑となったり、必ずしも十分なものといえない。
【０００９】
例えば、上記特許文献１、特許文献２記載の方法は、トイレ室内その他に金属イオンを塗設しなければならない。また、特許文献３記載の方法は、蒸発釜、脱臭管、濾過槽などの装置を必要とするため、従来の装置をそのまま使用することができない。更に、特許文献４記載の方法は、使用時ごとに消臭剤を汚物タンクに投入する必要がある。また、特許文献５記載の方法は、特に排泄物を最終的に焼却する場合の前処理として好適なものであるが、移動車両に配設されるトイレなどには不適当である。
【００１０】
また、住宅などに配設されるトイレにおいても流し水は少量であることが好ましく、これによって処理すべき汚物量を低減することができ、経済的であるとともに環境保護の観点から好ましい。特に移動車両においては、排便を処理するために確保できる体積に限界があり、排泄した糞便を溜める便槽の臭気が便器側に逆流することが多く、便所雰囲気に特有の臭気をもたらす一因となっている。更に移動車両では、排泄した糞便を便槽に落とし込むための便器用洗浄液が、一旦浄化された後に便器用洗浄液として再使用される場合があり、当該洗浄液の脱臭が十分でないと排泄した糞便を便槽に落とし込む際にも既に臭気が便所雰囲気に充満する。現在、このような洗浄液の臭気の発生を防止するために、短期間で洗浄水を全置換しているが、その手間と費用とは莫大なものとなっている。
【００１１】
上記現状に鑑みて、本発明は、簡便な方法で脱臭でき、かつその効果が長期にわたって維持できる排便処理剤を提供するものである。
【課題を解決するための手段】
【００１２】
本発明は、排便から発生する臭気は、排便中に含まれる微生物が排便に含まれる成分に作用してアンモニアや硫化水素を発生させていること、したがって排便直後に微生物の作用を停止できれば臭気の発生を低減しうること、このような抗微生物効果の優れる薬剤としてヨウ素とメチル化β−シクロデキストリンとの包接化物を使用すると、その消臭効果が極めて長期間に亘って維持されることを見出し、本発明を完成させた。
【発明の効果】
【００１３】
本発明の排便処理剤によれば、移動車両、ポータブル便器、その他の排便処理装置、排便処理施設などにおける臭気を除去でき、かつその効果が長期間に亘って維持される。
【発明を実施するための最良の形態】
【００１４】
本発明の第一は、メチル化β−シクロデキストリンとヨウ素との包接化物を含有する排便処理剤である。
【００１５】
従来より、ヨウ素は殺菌・防カビ・消毒・防腐剤としての効用は公知であるが、ヨウ素自身は常温において揮発しやすく保存には注意を要する等の欠点があり、ヨウ素をシクロデキストリンで包接した化合物が開発されている。例えば、特開昭５１−８８６２５号公報には、ヨウ素−シクロデキストリン包接化物を用いた消臭、殺菌剤が、特開昭５１−１００８９２号公報には、ヨウ素−シクロデキストリン包接化物を用いた殺菌、防腐包装紙が、特開昭５１−１１２５３８号公報には、ヨウ素−シクロデキストリン包接化物を過酸化水素と併用する食品の殺菌、漂白方法が開示されている。このようなヨウ素−シクロデキストリン包接化物は、シクロデキストリンと水溶化したヨウ素とを混合して調製され、溶液中に沈殿したヨウ素を包接したシクロデキストリンをろ過後洗浄し、通気乾燥または減圧乾燥することで、目的物たるヨウ素−シクロデキストリン包接化物を得ている。シクロデキストリンとしては、α−シクロデキストリン、β−シクロデキストリン、γ−シクロデキストリンがあり、更にアルキル基やアセチル基が付加したシクロデキストリンがあるが、シクロデキストリンの種類によって得られるヨウ素−シクロデキストリン包接化物の特性が異なる。本発明では、これら種々のヨウ素−シクロデキストリン包接化物の中、特にメチル化β−シクロデキストリンとヨウ素との包接化物（以下、ヨウ素−メチル化β−シクロデキストリン包接化物と称する。）を使用すると、極めて糞便などの臭気除去作用に優れ、しかもその持続効果に優れることを見出した。
【００１６】
本発明の排便処理剤は、ヨウ素−メチル化β−シクロデキストリン包接化物を含有するものであり、ヨウ素−メチル化β−シクロデキストリン包接化物は通常液剤として製造および販売され、これをそのまま排便処理剤として使用することができる。このため、本発明の排便処理剤は、液剤である。また、ヨウ素−メチル化β−シクロデキストリン包接化物の配合量は、このような製造および市販されるヨウ素−メチル化β−シクロデキストリン包接化物剤の濃度に依存し、具体的には、排便処理剤中０．０３〜３７質量％、より好ましくは０．０６〜１８質量％、特に好ましくは０．３〜０．６質量％である。０．０３質量％を下回ると消臭効果が低減する場合がある。
【００１７】
本発明の排便処理剤を調製するには、例えばヨウ素−メチル化β−シクロデキストリン包接化物をそのまま使用し、または水、アルコールなどの溶媒に溶解すればよい。ヨウ素−メチル化β−シクロデキストリン包接化物は、水のほか、メタノール、エタノール等の低級アルコール、エチレングリコール、プロピレングリコール等の多価アルコールや酢酸エチル等の脂肪酸エステル、または、これらの混合物に溶解させることができる。溶媒の使用量によって含有量を調整することができ、液剤中の有効ヨウ素量を０．００５〜６質量％、より好ましくは０．０１〜３質量％、特に好ましくは０．０５〜０．１０質量％とする。
【００１８】
本発明の排便処理剤には、他の成分を配合することができる。このような配合成分としては、芳香剤、消臭剤、抗菌剤、増量剤、賦形剤、着色剤等がある。
【００１９】
消臭剤としては、ピロカテコール、ハイドロキシン、ｐ−ｔ−ブチルピロカテコール、ピロガロール、ノナノール、グルタールアルデヒド、グリオキザール、酢酸、ヒドロキシ酢酸、グリコール酸、ほう酸、アジピン酸、ピロリドンカルボン酸、サリチル酸、Ｌ−アスコルビン酸、エリソルビン酸、２−ケトングルタル酸、グリオキシル酸、タンニン酸、没食子酸、グルコン酸、木酢酸、ポリラクトン、ウンデシレン酸亜鉛、シクロデキストリン、カルボキシフタロシアニン系金属錯体、ヘキシルメルカプタン、ロイコアントシアニジン、フラボノイド、植物成分抽出部、柑橘類の皮、ニトロフミン酸などを例示することができる。これらの消臭剤は、必要に応じて１種または２種以上用いられるが、これら消臭剤のうち、グリオキザールは防臭効果が高く、また抗菌剤としての塩化ベンザルコニウムと併用した場合に塩化ベンザルコニウムの抗菌力及びその持続性を高めることからから特に好ましい。
【００２０】
抗菌剤としては、例えば２−フェノキシエタノール、オルトベンジルパラクロロフェノール、塩化ベンザルコニウム、安息香酸及びその塩類、デヒドロ酢酸及びその塩類、ソルビン酸、ソルビン酸カリウム、プロピオン酸カルシウム、パラオキシ安息香酸エチル、パラオキシ安息香酸プロピル、ラウリルトリメチルアンモニウム、２，４，５−トリクロルフェノキサイド、アルキルトリアミノエチルグリシン、５−ニトロ−２−フリルアクリルアミド、ポリヘキサメチレンビグアニジン塩酸塩、２−ブロモ−２−ニトロプロパン−１，３−ジオール、キトサンなどを挙げることができる。これらの抗菌剤の使用は１種に限らず、例えば塩化ベンザルコニウムとキトサンなど必要に応じて２種以上併用することができる。抗菌剤を用いることで、糞尿に起因する微生物学的な汚染を未然に防ぐことができるばかりでなく、微生物類の糞尿の分解により発生する悪臭ガスを防止または抑制することができる。
【００２１】
本発明の排便処理剤は、例えば、排泄後の糞尿に振りかけることで消臭することができる。排泄後の糞尿に例えば噴霧することで消臭することができる。このような排泄後の糞便としては、例えば汲み取り式便所、災害時の簡易便所、看護用のポータブルトイレなどに排出される排便がある。これらは一定期間、便槽に排便が貯留される場合があり、特に本発明の排便処理剤によって長期にわたる消臭効果を得ることができる。本発明の排便処理剤は、特に排出後の糞尿に直ちに投与することが好ましく、これにより最も効果的に消臭することができる。
【００２２】
本発明の排便処理剤は、上記のように排便後の糞尿に振り掛けて消臭することもできるが、溶液に溶解した排便処理剤を予め便槽内に投与しておくとより消臭効果に優れる。排便処理剤が溶液として供給される場合には、排泄された糞尿がただちに該排便処理剤と混合されるため、特に消臭効果に優れると考えられる。すなわち、本発明の第二は、上記排便処理剤が、溶液状で予め便槽内に投与されることを特徴とする、便槽の消臭方法である。この際、排便処理剤の使用量は、使用する便槽の糞便処理量によって適宜選択できるが、好ましくは便槽内に２００〜１０００ｐｐｍ、より好ましくは４００〜８００ｐｐｍ、特に好ましくは５００〜７００ｐｐｍとなるように予め投与する。２００ｐｐｍを下回ると効果が消失し、１０００ｐｐｍを超えると遊離ヨウ素臭が発生する場合がある。すなわち、排泄後の糞尿を放置すると特有の臭気が発生するが、これは微生物の作用によりアンモニアや硫化水素などが発生するからである。したがって、本発明の排便処理剤においても、そのような微生物の作用を早期から抑制するため、排出後の糞尿を直ちに処理することが好ましく、消臭効果に優れ、かつ長期にわたり消臭効果を確保することができる。本発明で使用するヨウ素−メチル化β−シクロデキストリン包接化物には、抗菌性に優れるヨウ素が含まれるため、微生物の作用を抑制してアンモニアなどの臭気の発生を抑制できるが、この効果は他のヨウ素−シクロデキストリン包接化物と比較しても優れたものである。この理由は明確でないが、メチル化β−シクロデキストリンは、β−シクロデキストリンの環状の外側に向かってメチル基が配置する化合物であり、親水性に優れるとともに極性溶媒にも溶解しやすいなどの特性を有するため、糞便中に拡散しやすく、このため抗菌作用を特に効果的に発揮することができ、この結果、消臭効果にも優れると考えられる。このように親水性に優れるため、上記したように水を初め各種の溶媒に溶解することができ、容易に溶液として供給することができ、これによって糞尿との優れた混和性が確保されるのである。なお、本発明の排便処理剤や便器用洗浄液に含まれるヨウ素−メチル化β−シクロデキストリン包接化物は、メチル化β−シクロデキストリンの作用に起因する消臭効果があるが、排便後の糞尿における微生物の作用を効果的に抑制するため、排便後の糞尿を放置することなく本発明の排便処理剤で処理することが好ましい。このような態様として、上記のように、本発明の排便処理剤を溶液状で予め便槽内に投与するのである。特に、便槽内で発生した臭気は、便器側に逆流し便所の臭気となってヒトに不快感を与える場合が多い。予め便槽内に排便処理剤が投与されると糞尿と排便処理剤との接触が迅速に行われ、用便後に本発明の便器洗浄液によって糞尿を便槽内に流し込んだ場合にも、糞尿と排便処理剤との接触が迅速に行われるため糞尿に含まれる微生物の作用を効率に抑制することができる。
【００２３】
同様の趣旨により、本発明の排便処理剤は、例えば水洗便所などの流し水として使用することもできる。すなわち、本発明の第三は、上記排便処理剤を含有する便器用洗浄液である。本発明において、便器用洗浄液とは、便器に排泄された糞尿を便槽に落とし込むための流し水である。
【００２４】
本発明の便器用洗浄液中の排便処理剤の含有量は、排便後の糞尿が蓄積される便槽の大きさやそこに蓄積される糞尿量によっても異なり、水洗便所の場合には、用便後の該便器用洗浄液の使用量によっても異なるが、一般には便器用洗浄液中にヨウ素−メチル化β−シクロデキストリン包接化物を有効ヨウ素量として、０．３〜５０ｐｐｍ、より好ましくは１０〜５０ｐｐｍ、特に好ましくは４０〜５０ｐｐｍである。０．３ｐｐｍを下回ると消臭効果が低下する場合があり、一方、５０ｐｐｍを上回ると遊離ヨウ素臭が発生する場合がある。本発明において、便器用洗浄液に使用される溶媒は水であることが好ましいが、更にヨウ素−メチル化β−シクロデキストリン包接化物の溶解性を損なわない範囲で、水溶性アルコール、メントール、ペパーミントなどの芳香族マスク剤などを含んでいてもよい。
【００２５】
本発明の便器用洗浄液は、便器に排泄された糞尿を便槽に落とし込むための流し水であるが、用便後の手洗い水が便器用洗浄液として使用される場合には、このような手洗い水として使用し、次いで便器用洗浄液として使用してもよい。本発明の排便処理剤は、抗菌性に優れるヨウ素−メチル化β−シクロデキストリン包接化物を含むため、特に手洗い水としても安全に使用することができる。手洗い水としては、上記便器用洗浄液と同様に、有効ヨウ素量０．３〜３０ｐｐｍ、より好ましくは０．３〜２０ｐｐｍ、特に好ましくは０．３〜１０ｐｐｍである。なお、手洗い水に上記範囲でヨウ素−メチル化β−シクロデキストリン包接化物が含まれる場合には、該手洗い水をそのまま本発明の便器用洗浄液として使用することもでき、さらにヨウ素−メチル化β−シクロデキストリン包接化物を追加した後に便器用洗浄液として使用することもできる。
【００２６】
本発明の便槽の消臭方法は、特に特急列車、夜行列車など旅客が長時間滞在する移動車両において、便器用洗浄液が浄化後に再度便器用洗浄液として再使用される形態で使用すると、長期にわたり消臭効果が持続するため、洗浄液の取替え間隔を延長することができ好適である。また、工事現場用ポータブルトイレ、高速バス便槽などに有用に使用できる。
【実施例】
【００２７】
次に実施例を挙げて本発明を具体的に説明するが、これらの実施例は何ら本発明を制限するものではない。
【００２８】
（実施例１）
水道水２９７ｇ、ヨウ素−メチル化β−シクロデキストリン包接化物（日宝株式会社、商品名「ＭＣＤＩ−６」、有効ヨウ素量６質量％）３ｇ、青色染料（日本化薬製、商品名Ｋａｙａｆｅｃｔ）１滴からなる溶液に、人尿３ｍｌと水道水３ｍｌとを投入した。２４時間後に、臭気を検知管で検査し、次いで前日と同量の人尿と水道水とを添加した。これを１３日間継続した。１４日後の臭気は、アンモニア臭はなく、硫化水素の発生もなかった。更に、１．５ヶ月後に検知管でアンモニアおよび硫化水素を測定したが、いずれも検出限界以下であった。なお、上記人尿３ｍｌは、移動列車の便槽容量と一日に投入される人尿量とから換算し、一日分人尿に該当する。また、水道水３ｍｌは、同様に換算して水洗用の流し水量に該当する。以下、比較例１、比較例２においても同様である。
【００２９】
（比較例１）
水道水３００ｇ、青色染料（日本化薬製、商品名Ｋａｙａｆｅｃｔ）１滴からなる溶液に、ＭＣＤＩ−６は添加せず、１３日分量の人尿３９ｍｌと水道水３９ｍｌとを一度に投入した。これは、実施例１と量を同じにしての比較である。３日目には悪臭を発生し、１４日目には検知管で測定すると硫化水素０．３ｐｐｍ，アンモニア２０ｐｐｍであった。
【００３０】
（実施例２）
水道水２９７ｇ、ヨウ素−メチル化β−シクロデキストリン包接化物（日宝株式会社、商品名「ＭＣＤＩ−６」、有効ヨウ素量６質量％）３ｇ、青色染料（日本化薬製、商品名Ｋａｙａｆｅｃｔ）１滴からなる溶液に、５０日分量の人尿１５０ｍｌと水道水１５０ｍｌとを一度に投入した。８日目には悪臭を感知し、４０日経過後のアンモニア濃度は６０ｐｐｍであった。なお、硫化水素は検出限界以下であった。
【００３１】
（実施例３）
水道水１００ｇ、ヨウ素−メチル化β−シクロデキストリン包接化物（日宝株式会社、商品名「ＭＣＤＩ−６」、有効ヨウ素６質量％）１ｇ、青色染料（日本化薬製、商品名Ｋａｙａｆｅｃｔ）１滴を入れた。これを７つ用意し、それぞれに、糞を０．５ｇ、１．０ｇ、３．０ｇ、４．０ｇ、５．０ｇ、６．０ｇ、９．０ｇを添加した。また、対照として、１００ｍｌスクリュー管に水道水１００ｇ、青色染料（日本化薬製、商品名Ｋａｙａｆｅｃｔ）１滴を入れたものに、糞を０．５ｇ添加した。
【００３２】
各スクリュー管の臭気を検知管で２４時間毎に確認した。その結果、ＭＣＤＩ−６を投与した場合には、糞量０．５〜９．０ｇのいずれにおいても１０日間、全く臭気を発しなかった。一方、ＭＣＤＩ−６を添加しなかった対照では、３日目に悪臭が発生し、硫化水素検知管で２ｐｐｍ（検出限界上限）を振り切った。但し、アンモニアは検出されなかった。更に、臭気を観察したところ、ＭＣＤＩ−６を添加した系では、糞量０．５〜３．０ｇまでは、２ヶ月経過後も硫化水素は発生しなかった。
【００３３】
(結果)
比較例１の結果から明らかなように、水道水のみでも人尿に対するアンモニア臭の発生を２日程度抑制することができる。しかしながら、実施例１の結果から明らかなように、ヨウ素−メチル化β−シクロデキストリン包接化物を添加した人尿は、１．５ヶ月の長期にわたり、硫化水素およびアンモニアの発生を防止することができた。
【００３４】
また、実施例３の結果から明らかなように、ヨウ素−メチル化β−シクロデキストリン包接化物を添加しない場合には、糞便は３日目に悪臭が発生したが、ヨウ素−メチル化β−シクロデキストリン包接化物を添加した場合には、糞便量が９．０ｇの場合でも１０日間に亘り臭気発生を抑制することができ、糞便量が３．０ｇ以下の場合には、２ヶ月経過後も硫化水素の発生を防止することができた。
【産業上の利用可能性】
【００３５】
本発明の排便処理剤は、糞尿の臭気を除去でき、特に移動車両などに使用すると狭い環境でこもりやすい臭気を効率的に抑制できる。